(57)【特許請求の範囲】
【請求項１】
情報自主登録の実現方法であって、
端末が最初に起動される又は端末の登録情報が変更される場合、端末の現在登録情報が含まれている自主登録セッション操作メッセージを送信することと、
自主登録セッション操作成功の応答メッセージを受信し、前記自主登録セッション操作のプロセスを終了することとを含み、
前記端末の現在登録情報が含まれている自主登録セッション操作メッセージは、オープンモバイルアライアンス端末管理（ＯＭＡ  ＤＭ）プロトコルに基づいて、自主登録セッション操作メッセージのＤｅｖＩｎｆｏフィールドノードに、端末の現在登録情報に関する拡張ノードを追加したことを含み、前記拡張ノードは少なくとも端末が現在使用している電話番号を含む、方法。
【請求項２】
前記方法は、さらに、
自主登録セッション操作が失敗した場合、端末は、自主登録セッション操作成功の応答メッセージを受信するまで、自主登録セッション操作メッセージを繰り返し送信することを含む
請求項１に記載の方法。
【請求項３】
前記端末の現在登録情報が含まれている自主登録セッション操作メッセージは、
自主登録セッション操作メッセージの拡張ノードに、端末の現在登録情報に関するノードを追加し、且つ予め設定されたフィールドのメッセージタイプによって前記自主登録セッション操作メッセージを識別することを含む
請求項１又は２に記載の方法。
【請求項４】
前記端末の現在登録情報に関するノードは、端末が現在使用している電話番号又はバージョンを含む
請求項３に記載の方法。
【請求項５】
情報自主登録の実現方法であって、
端末の現在登録情報が含まれている自主登録セッション操作メッセージを受信して解析し、端末の現在登録情報を取得することと、
予め記憶された端末の登録情報に応じて、前記現在登録情報が新規登録情報であるかどうかを判断することと、
前記現在登録情報が新規登録情報である場合、前記新規登録情報を記憶し、自主登録セッション操作成功の応答メッセージを送信することとを含み、
前記端末の現在登録情報が含まれている自主登録セッション操作メッセージを解析することは、オープンモバイルアライアンス端末管理（ＯＭＡ  ＤＭ）プロトコルに基づいて、前記自主登録セッション操作メッセージのＤｅｖＩｎｆｏフィールドノードにおける拡張ノードによって、端末の現在登録情報を解析することを含み、前記拡張ノードは少なくとも端末が現在使用している電話番号を含む、方法。
【請求項６】
端末であって、
端末が最初に起動される又は端末の登録情報が変更される場合、端末の現在登録情報が含まれている自主登録セッション操作メッセージを送信するように構成される第一送信モジュールと、
自主登録セッション操作成功の応答メッセージを受信し、前記自主登録セッション操作のプロセスを終了するように構成される第一受信モジュールとを含み、
前記端末の現在登録情報が含まれている自主登録セッション操作メッセージは、オープンモバイルアライアンス端末管理（ＯＭＡ  ＤＭ）プロトコルに基づいて、自主登録セッション操作メッセージのＤｅｖＩｎｆｏフィールドノードに、端末の現在登録情報に関する拡張ノードを追加したことを含み、前記拡張ノードは少なくとも端末が現在使用している電話番号を含む、端末。
【請求項７】
前記第一送信モジュールは、さらに、自主登録セッション操作が失敗した場合、受信モジュールにより自主登録セッション操作成功の応答メッセージを受信されるまで、自主登録セッション操作メッセージを繰り返し送信するように構成される
請求項６に記載の端末。
【請求項８】
前記端末の現在登録情報が含まれている自主登録セッション操作メッセージは、
自主登録セッション操作メッセージの拡張ノードに、端末の現在登録情報に関するノードを追加し、予め設定されたフィールドのメッセージタイプによって前記自主登録セッション操作メッセージを識別することを含む
請求項６又は７に記載の端末。
【請求項９】
サーバーであって、
端末の現在登録情報が含まれている自主登録セッション操作メッセージを受信して、オープンモバイルアライアンス端末管理（ＯＭＡ  ＤＭ）プロトコルに基づいて、自主登録セッション操作メッセージのＤｅｖＩｎｆｏフィールドノードにおける拡張ノードによって、端末の現在登録情報を解析し、ここで、前記拡張ノードは少なくとも端末が現在使用している電話番号を含み、端末の現在登録情報を取得するように構成される第二受信モジュールと、
予め記憶された端末の登録情報に応じて、前記現在登録情報が新規登録情報であるかどうかを判断し、前記現在登録情報が新規登録情報である場合、前記新規登録情報を記憶するように構成される判断処理モジュールと、
自主登録セッション操作成功の応答メッセージを送信するように構成される第二送信モジュールとを含む、サーバー。
【請求項１０】
情報自主登録の実現システムであって、
端末が最初に起動される又は端末の登録情報が変更される場合、端末の現在登録情報が含まれている自主登録セッション操作メッセージをサーバーへ送信し、自主登録セッション操作成功の応答メッセージを受信し、前記自主登録セッション操作のプロセスを終了するように構成され、前記端末の現在登録情報が含まれている自主登録セッション操作メッセージは、オープンモバイルアライアンス端末管理（ＯＭＡ  ＤＭ）プロトコルに基づいて、自主登録セッション操作メッセージのＤｅｖＩｎｆｏフィールドノードに、端末の現在登録情報に関する拡張ノードを追加したことを含み、前記拡張ノードは少なくとも端末が現在使用している電話番号を含む、端末と、
前記端末の現在登録情報が含まれている自主登録セッション操作メッセージを受信して、オープンモバイルアライアンス端末管理（ＯＭＡ  ＤＭ）プロトコルに基づいて、前記自主登録セッション操作メッセージのＤｅｖＩｎｆｏフィールドノードにおける拡張ノードによって、端末の現在登録情報を解析し、ここで、前記拡張ノードは少なくとも端末が現在使用している電話番号を含み、端末の現在登録情報を取得し、予め記憶された端末の登録情報に応じて、前記現在登録情報が新規登録情報であるかどうかを判断し、前記現在登録情報が新規登録情報である場合、前記新規登録情報を記憶し、自主登録セッション操作成功の応答メッセージを端末へ送信するように構成されるサーバーとを含む、システム。
【請求項１１】
コンピュータ記憶媒体であって、
請求項１〜４のいずれか１項に記載の情報自主登録の実現方法を実行するためのコンピュータ実行可能な命令が記憶されている、コンピュータ記憶媒体。
【請求項１２】
コンピュータ記憶媒体であって、
請求項５に記載の情報自主登録の実現方法を実行するためのコンピュータ実行可能な命令が記憶されている、コンピュータ記憶媒体。
【発明の詳細な説明】
【技術分野】
【０００１】
本発明は移動通信分野の端末管理（ＤＭ：Ｄｅｖｉｃｅ  Ｍａｎａｇｅｍｅｎｔ）技術に関し、特に、情報自主登録（Ｉｎｆｏｒｍａｔｉｏｎ  ｓｅｌｆ−ｒｅｇｉｓｔｒａｔｉｏｎ）の実現方法、端末、サーバー、システム及びコンピュータ記憶媒体に関する。
【背景技術】
【０００２】
電子技術の飛躍的な発展に伴い、ますます多くの端末装置は、オープンモバイルアライアンス端末管理（ＯＭＡ  ＤＭ：Ｏｐｅｎ  Ｍｏｂｉｌｅ  Ａｌｌｉａｎｃｅ  ＤＭ）機能を備える。このため、サーバーと端末装置との間のインタラクションで端末管理例えば、端末情報の収集と設定、故障の検出とトラブルシューティング、ソフトウェアバージョンの更新などを行うことができる。また、ペアになった端末の登録情報は、サーバーが端末管理サービスを提供する基礎である。ここで、登録情報は、ペア関係を有する装置の一意的な識別子（ＤｅｖＩｄ）、端末モデル（Ｍｏｄ）、端末メーカー（Ｍａｎ）、電話番号（ｐｈｏｎｅ  ｎｕｍｂｅｒ）等を含む。
【発明の概要】
【発明が解決しようとする課題】
【０００３】
従来技術において、サーバーに端末の登録情報がない場合、端末がサーバーに自主に接続することで端末管理を行うことができる。しかしながら、このように端末管理を行う場合、サーバーは、端末に対し管理操作をリアルタイムに行うことができず、ブートストラップ（Ｂｏｏｔｓｔｒａｐ）によってサーバーへ柔軟に切替えることができない。また、端末に新しいカードを交換する（又は新しい番号を更新する）又は端末管理セッションにおいて端末パラメータが悪意的破壊された場合、サーバーは、端末に対する管理能力を失う。このため、サーバーがどのように端末の現在登録情報を取得するかということは、サーバーと端末との間のインタラクションで端末管理を実現するための最も主要な課題である。
【課題を解決するための手段】
【０００４】
本発明の実施例は、サーバーが端末の現在登録情報をリアルタイムに取得し、端末に対する有効管理を実現することができる情報自主登録の実現方法、端末、サーバー、システム及びコンピュータ記憶媒体を提供する。
【０００５】
本発明の実施例に係る技術案は、以下のように実現される。
【０００６】
本発明の実施例は情報自主登録の実現方法を提供し、当該方法は、
端末が最初に起動される又は端末の登録情報が変更される場合、端末の現在登録情報が含まれている自主登録セッション操作メッセージを送信することと、
自主登録セッション操作成功の応答メッセージを受信し、前記自主登録セッション操作のプロセスを終了することとを含む。
【０００７】
１つの実施例において、前記方法は、さらに、自主登録セッション操作が失敗した場合、端末は、自主登録セッション操作成功の応答メッセージを受信するまで、自主登録セッション操作メッセージを繰り返し送信することを含む。
【０００８】
１つの実施例において、前記端末の現在登録情報が含まれている自主登録セッション操作メッセージは、自主登録セッション操作メッセージの拡張ノードに、端末の現在登録情報に関するノードを追加し、予め設定されたフィールドのメッセージタイプによって前記自主登録セッション操作メッセージを識別することを含む。
【０００９】
１つの実施例において、前記端末の現在登録情報に関するノードは、端末が現在使用している電話番号又はバージョンを含む。
【００１０】
本発明の実施例はまた情報自主登録の実現方法を提供し、当該方法は、
自主登録セッション操作メッセージを受信して解析し、端末の現在登録情報を取得することと、
予め記憶された端末の登録情報に応じて、前記現在登録情報が新規登録情報であるかどうかを判断することと、
前記現在登録情報が新規登録情報である場合、前記新規登録情報を記憶し、自主登録セッション操作成功の応答メッセージを送信することとを含む。
【００１１】
本発明の実施例はまた端末を提供し、当該端末は、
端末が最初に起動される又は端末の登録情報が変更される場合、端末の現在登録情報が含まれている自主登録セッション操作メッセージを送信するように構成される第一送信モジュールと、
自主登録セッション操作成功の応答メッセージを受信し、前記自主登録セッション操作のプロセスを終了するように構成される第一受信モジュールとを含む。
【００１２】
１つの実施例において、前記第一送信モジュールは、さらに、自主登録セッション操作が失敗した場合、受信モジュールにより自主登録セッション操作成功の応答メッセージを受信するまで、自主登録セッション操作メッセージを繰り返し送信するように構成される。
【００１３】
本発明の実施例はまたサーバーを提供し、当該サーバーは、
自主登録セッション操作メッセージを受信して解析し、端末の現在登録情報を取得するように構成される第二受信モジュールと、
予め記憶された端末の登録情報に応じて、前記現在登録情報が新規登録情報であるかどうかを判断し、前記現在登録情報が新規登録情報である場合、前記新規登録情報を記憶するように構成される判断処理モジュールと、
自主登録セッション操作成功の応答メッセージを送信するように構成される第二送信モジュールとを含む。
【００１４】
本発明の実施例はまた情報自主登録の実現システムを提供し、当該システムは、
端末が最初に起動される又は端末の登録情報が変更される場合、端末の現在登録情報が含まれている自主登録セッション操作メッセージをサーバーへ送信し、自主登録セッション操作成功の応答メッセージを受信し、前記自主登録セッション操作のプロセスを終了するように構成される端末と、
前記自主登録セッション操作メッセージを受信して解析し、端末の現在登録情報を取得し、予め記憶された端末の登録情報に応じて、前記現在登録情報が新規登録情報であるかどうかを判断し、前記現在登録情報が新規登録情報である場合、前記新規登録情報を記憶し、自主登録セッション操作成功の応答メッセージを端末へ送信するように構成されるサーバーとを含む。
【００１５】
本発明の実施例はまたコンピュータ記憶媒体を提供し、前記コンピュータ記憶媒体には、前記端末に応用される情報自主登録の実現方法を実行するためのコンピュータ実行可能な命令が記憶される。
【００１６】
本発明の実施例はまたコンピュータ記憶媒体を提供し、前記コンピュータ記憶媒体には、サーバーに応用される情報自主登録の実現方法を実行するためのコンピュータ実行可能な命令が記憶される。
【００１７】
本発明の実施例に係る情報自主登録の実現方法、端末、サーバー及びシステムによれば、端末が最初に起動される又は端末の登録情報が変更される場合、端末は、端末の現在登録情報が含まれている自主登録セッション操作メッセージをサーバーへ送信し、サーバーは、前記自主登録セッション操作メッセージを受信して解析し、端末の現在登録情報を取得し、予め記憶された端末の登録情報に応じて、前記現在登録情報が新規登録情報であるかどうかを判断し、前記現在登録情報が新規登録情報である場合、前記新規登録情報を記憶し、自主登録セッション操作成功の応答メッセージを端末へ送信する。このように、サーバーは、端末の現在登録情報をリアルタイムに取得することができ、端末に対する有効管理を実現する。
【図面の簡単な説明】
【００１８】
【図１】本発明の実施例における情報自主登録の実現方法のフローチャート１である。
【図２】本発明の実施例における情報自主登録の実現方法のフローチャート２である。
【図３】本発明の実施例における情報自主登録の実現方法の具体的なフローチャートである。
【図４】本発明の実施例におけるＯＭＡ  ＤＭプロトコルの標準ＤｅｖＩｎｆｏフィールドノードの構成図である。
【図５】本発明の実施例におけるＯＭＡ  ＤＭプロトコルの拡張されたＤｅｖＩｎｆｏフィールドノードの構成図である。
【図６】本発明の実施例における端末の構成図である。
【図７】本発明の実施例におけるサーバーの構成図である。
【図８】本発明の実施例における情報自主登録の実現システムの構成図である。
【発明を実施するための形態】
【００１９】
以下、図面及び具体的な実施例を参照して、本発明を詳しく説明する。
【００２０】
本発明の実施例において、端末が最初に起動される又は端末の登録情報が変更される場合、端末は、端末の現在登録情報が含まれている自主登録セッション操作メッセージをサーバーへ送信し、サーバーは、前記自主登録セッション操作メッセージを受信して解析し、端末の現在登録情報を取得し、予め記憶された端末の登録情報に応じて、前記現在登録情報が新規登録情報であるかどうかを判断し、前記現在登録情報が新規登録情報である場合、前記新規登録情報を記憶し、自主登録セッション操作成功の応答メッセージを端末へ送信する。
【００２１】
ここで、端末が情報自主登録処理を良く行うことを確保するために、専用のＧｅｎｅｒｉｃ  Ａｌｅｒｔフィールドのメッセージタイプを予め設定することが必要であり、これによって、サーバーは、受信されたセッション操作メッセージが自主登録セッション操作メッセージであるかどうかを区別することができる。さらに、ＯＭＡ  ＤＭプロトコルの標準ノードに基づいてＤｅｖＩｎｆｏフィールドノードを拡張し、即ち、拡張ＤｅｖＩｎｆｏフィールドノードに、端末の現在登録情報に関するノード例えば端末が現在使用している電話番号、バージョン等を追加する。
【００２２】
図１は本発明の実施例における情報自主登録の実現方法のフローチャート１であり、端末側に応用され、図１のように、本発明の実施例における情報自主登録の実現方法は、以下のステップを含む。
【００２３】
ステップＳ１０において、端末が最初に起動される又は端末の登録情報が変更される場合、端末の現在登録情報が含まれている自主登録セッション操作メッセージを送信する。
【００２４】
ここで、端末の登録情報が変更されることは、端末に新しいカードを交換すること、現有カードを新しい端末に挿入すること、端末に工場出荷時設定を行うこと等を含む。
【００２５】
ここで、端末は、予め設定された時間間隔を待ってから自主登録セッション操作の応答メッセージを受信しなかった場合、即ち自主登録セッション操作が失敗した場合、自主登録セッション操作成功の応答メッセージを受信するまで、自主登録セッション操作メッセージを繰り返し送信する。なお、前記自主登録セッション操作が失敗したことは、（１）ネットワークが停止して、端末からの自主登録セッション操作メッセージがサーバーへ送信されないこと、（２）サーバーは、不正常な動作状態になり、端末からの自主登録セッション操作メッセージをタイムリーに受信しないことを含む。
【００２６】
ここで、前記端末の現在登録情報が含まれている自主登録セッション操作メッセージは、自主登録セッション操作メッセージの拡張ノード即ちＤｅｖＩｎｆｏノードに、端末の現在登録情報に関するノードを追加し、予め設定されたＧｅｎｅｒｉｃ Ａｌｅｒｔフィールドのメッセージタイプに応じて、自主登録セッション操作メッセージを識別することを含む。ここで、端末の現在登録情報は、端末が現在使用している電話番号又はバージョン等を含む。
【００２７】
ステップＳ１１において、自主登録セッション操作成功の応答メッセージを受信し、前記自主登録セッション操作のプロセスを終了する。
【００２８】
本発明の実施例はまたコンピュータ記憶媒体を提供し、前記コンピュータ記憶媒体にはコンピュータ実行可能な命令が記憶され、前記コンピュータ実行可能な命令は、前記端末に応用される情報自主登録の実現方法を実行するように構成される。
【００２９】
図２は本発明の実施例における情報自主登録の実現方法のフローチャート２であり、サーバー側に応用され、図２のように、本発明の実施例における情報自主登録の実現方法は、以下のステップを含む。
【００３０】
ステップＳ２０において、自主登録セッション操作メッセージを受信して解析し、端末の現在登録情報を取得する。
【００３１】
具体的には、サーバーは、端末の現在登録情報が含まれている自主登録セッション操作メッセージを受信した後、自主登録セッション操作メッセージにおける予め設定されたＧｅｎｅｒｉｃ Ａｌｅｒｔフィールドのメッセージタイプに応じて、前記受信されたメッセージが自主登録セッション操作メッセージであるかどうかを確定し、さらに、自主登録セッション操作メッセージにおける拡張ＤｅｖＩｎｆｏフィールドノードに応じて、端末の現在登録情報を解析する。
【００３２】
ステップＳ２１において、予め記憶された端末の登録情報に応じて、前記現在登録情報が新規登録情報であるかどうかを判断する。
【００３３】
具体的には、サーバーは、予め記憶された端末の登録情報のペア関係に応じて、端末の現在登録情報がペア関係の不一致であるかどうかを判断することで、前記端末の現在登録情報が新規登録情報であるかどうかを確定する。端末の現在登録情報がサーバーに予め記憶された端末の登録情報と不一致である場合、前記端末の現在登録情報は新規登録情報である。
【００３４】
ステップＳ２２において、前記現在登録情報が新規登録情報である場合、前記新規登録情報を記憶し、自主登録セッション操作成功の応答メッセージを送信する。
【００３５】
ここで、前記現在登録情報が新規登録情報ではない場合、即ちサーバーに端末の現在登録情報が既に記憶された場合、サーバーは、現在受信された自主登録セッション操作メッセージを無視し、セッションプロセスを終了する。
【００３６】
本発明の実施例はまたコンピュータ記憶媒体を提供し、前記コンピュータ記憶媒体にはコンピュータ実行可能な命令が記憶され、前記コンピュータ実行可能な命令は、前記サーバーに応用される情報自主登録の実現方法を実行するように構成される。
【００３７】
図３は本発明の実施例における情報自主登録の実現方法の具体的なフローチャートであり、図３のように、本発明の実施例における情報自主登録の実現方法は、以下のステップを含む。
【００３８】
ステップＳ３０において、端末が最初に起動される又は端末の登録情報が変更される場合、端末は、端末の現在登録情報が含まれている自主登録セッション操作メッセージをサーバーへ送信する。
【００３９】
ここで、ステップＳ３０を実行する前に、端末が情報自主登録処理を良く行うことを確保するために、専用のＧｅｎｅｒｉｃ Ａｌｅｒｔフィールドのメッセージタイプを予め設定することが必要であり、これによって、サーバーは、受信されたセッション操作メッセージが自主登録セッション操作メッセージであるかどうかを区別することができる。例えば、前記ＧｅｎｅｒｉｃＡｌｅｒｔフィールドのメッセージタイプは、ｏｒｇ.ｏｐｅｎ  ｍｏｂｉｌｅ  ａｌｌｉａｎｃｅ.ｄｍ.ｄｅｖｉｃｅ  ｉｎｆｏｒｍａｔｉｏｎ.ｒｅｇｉｓｔｒａｔｉｏｎと予め定義されても良い。
【００４０】
さらに、ＯＭＡ  ＤＭプロトコルの標準ノードに基づいてＤｅｖＩｎｆｏフィールドノードを拡張し、即ち、拡張ＤｅｖＩｎｆｏフィールドノードに、端末の現在登録情報に関するノード例えば端末が現在使用している電話番号、バージョン等を追加する。
【００４１】
例えば、図４はＯＭＡ  ＤＭプロトコルの標準ＤｅｖＩｎｆｏフィールドノードの構成図である。ここで、ＤｅｖＩｄフィールドノードは装置の一意的な識別子であり、Ｍｏｄフィールドノードは端末モデルであり、Ｍａｎフィールドノードは端末メーカーである。ＯＭＡ  ＤＭプロトコルの標準ノードに基づいてＤｅｖＩｎｆｏフィールドノードをさらに拡張する。具体的には、図５のように、ＤｅｖＩｎｆｏフィールドノードに、端末が現在使用している電話番号（Ｐｈｏｎｅ  ｎｕｍｂｅｒ）というノード又は他の拡張必要の登録情報（Ｏｔｈｅｒ  ｉｎｆｏ）というノードを追加する。なお、端末がマルチモード装置である場合、端末が現在使用している電話番号というノードにおいて、複数の番号、例えばＰｈｏｎｅ  ｎｕｍｂｅｒ１、Ｐｈｏｎｅ  ｎｕｍｂｅｒ２等があっても良い。
【００４２】
ステップＳ３１において、サーバーは、前記自主登録セッション操作メッセージを受信して解析し、端末の現在登録情報を取得する。
【００４３】
具体的には、サーバーは、端末の現在登録情報が含まれている自主登録セッション操作メッセージを受信した後、自主登録セッション操作メッセージにおけるＧｅｎｅｒｉｃ Ａｌｅｒｔフィールドのメッセージタイプに応じて、受信されたメッセージが自主登録セッション操作メッセージであるかどうかを確定し、さらに、自主登録セッション操作メッセージにおけるＤｅｖＩｎｆｏフィールドノードの拡張ノードに応じて、端末の現在登録情報を解析する。
【００４４】
ステップＳ３２において、予め記憶された端末の登録情報に応じて、前記現在登録情報が新規登録情報であるかどうかを判断し、前記現在登録情報が新規登録情報である場合、前記新規登録情報を記憶する。
【００４５】
具体的には、サーバーは、予め記憶された端末の登録情報のペア関係に応じて、端末の現在登録情報がペア関係の不一致であるかどうかを判断することで、前記端末の現在登録情報が新規登録情報であるかどうかを確定し、端末の現在登録情報がサーバーに予め記憶された端末の登録情報と不一致である場合、前記端末の現在登録情報が新規登録情報であり、例えば、新しい端末＋新しい番号、新しい端末＋旧い番号、旧い端末＋新しい番号等である。
【００４６】
ここで、前記現在登録情報が新規登録情報ではない場合、即ちサーバーに端末の現在登録情報が既に記憶された場合、サーバーは、現在受信された自主登録セッション操作メッセージを無視し、セッションプロセスを終了する。
【００４７】
ステップＳ３３において、サーバーは、自主登録セッション操作成功の応答メッセージを端末へ送信する。
【００４８】
ここで、前記現在登録情報が新規登録情報ではない場合、即ちサーバーに端末の現在登録情報が既に記憶された場合、サーバーは、現在受信された自主登録セッション操作メッセージを無視し、セッションプロセスを終了する。
【００４９】
ステップＳ３４において、端末は、自主登録セッション操作成功の応答メッセージを受信した後、前記自主登録セッション操作プロセスを終了する。
【００５０】
このように、本発明の実施例における前記方法において、サーバーは端末の現在登録情報をリアルタイムに取得し、端末に対する有効管理を実現することができる。
【００５１】
なお、本発明の実施例において、サーバーは、自主登録セッション操作成功の応答メッセージを端末へ送信する前に、アクセス端末の登録メッセージが変更される又は登録メッセージが提供されないことを監視した場合、サーバーは、必要に応じて、現在の自主登録セッションにおいて管理操作メッセージを端末へ送信して、端末の指定登録情報を収集しても良い。さらに、端末は、ＯＭＡ  ＤＭプロトコルに応じて、サーバーにより指定された管理操作を完了する。
【００５２】
図６は本発明の実施例における端末１０の構成図であり、図６のように、前記端末は、第一送信モジュール１１と第一受信モジュール１２を含む。
【００５３】
前記第一送信モジュール１１は、端末が最初に起動される又は端末の登録情報が変更される場合、端末の現在登録情報が含まれている自主登録セッション操作メッセージを送信するように構成される。
【００５４】
前記第一受信モジュール１２は、自主登録セッション操作成功の応答メッセージを受信し、前記自主登録セッション操作のプロセスを終了するように構成される。
【００５５】
ここで、前記送信モジュール１１は、さらに、予め設定された時間間隔を待ってから自主登録セッション操作の応答メッセージを受信しなかった場合、即ち自主登録セッション操作が失敗した場合、受信モジュール１２が自主登録セッション操作成功の応答メッセージを受信するまで、自主登録セッション操作メッセージを繰り返し送信するように構成される。
【００５６】
ここで、前記端末の現在登録情報が含まれている自主登録セッション操作メッセージは、自主登録セッション操作メッセージにおける拡張ＤｅｖＩｎｆｏフィールドノードに、端末の現在登録情報に関するノードを追加し、予め設定されたＧｅｎｅｒｉｃ  Ａｌｅｒｔフィールドのメッセージタイプによって自主登録セッション操作メッセージを識別することを含む。
【００５７】
図７は本発明の実施例におけるサーバー２０の構成図であり、図７のように、前記サーバーは、第二受信モジュール２１、判断処理モジュール２２及び第二送信モジュール２３を含む。
【００５８】
前記第二受信モジュール２１は、端末の現在登録情報が含まれている自主登録セッション操作メッセージを受信して解析し、端末の現在登録情報を取得するように構成される
前記判断処理モジュール２２は、予め記憶された端末の登録情報に応じて、前記現在登録情報が新規登録情報であるかどうかを判断し、前記現在登録情報が新規登録情報である場合、前記新規登録情報を記憶するように構成される。
【００５９】
前記第二送信モジュール２３は、自主登録セッション操作成功の応答メッセージを送信するように構成される。
【００６０】
図８は本発明の実施例における情報自主登録の実現システムの構成図であり、図８のように、前記システムは、端末１０とサーバー２０を含む。
【００６１】
前記端末１０は、端末が最初に起動される又は端末の登録情報が変更される場合、端末の現在登録情報が含まれている自主登録セッション操作メッセージをサーバー２０へ送信し、自主登録セッション操作成功の応答メッセージを受信し、前記自主登録セッション操作のプロセスを終了するように構成される。
【００６２】
前記サーバー２０は、前記自主登録セッション操作メッセージを受信して解析し、端末の現在登録情報を取得し、予め記憶された端末の登録情報に応じて、前記現在登録情報が新規登録情報であるかどうかを判断し、前記現在登録情報が新規登録情報である場合、前記新規登録情報を記憶し、自主登録セッション操作成功の応答メッセージを端末１０へ送信するように構成される。
【００６３】
端末の構成は図６に示すようであり、サーバーの構成は図７に示すようである。
【００６４】
例示的な実施形態において、前記送信モジュール１１と受信モジュール１２は、端末１０の中央処理装置（ＣＰＵ）、マイクロプロセッサ（ＭＰＵ）、デジタル信号プロセッサ（ＤＳＰ）又はフィールドプログラマブルゲートアレイ（ＦＰＧＡ）等により実現されることができ、前記受信モジュール２１、判断処理モジュール２２及び送信モジュール２３は、サーバー２０のＣＰＵ、ＭＰＵ、ＤＳＰ又はＦＰＧＡ等により実現されることができる。
【００６５】
本発明の実施例に係る技術案について、競合されない場合、任意に組み合わせても良い。
【００６６】
当業者であれば、本発明の実施例は、方法、システム又はコンピュータプログラム製品で提供されることができると理解すべきである。このため、本発明は、ハードウェアの実施例、ソフトウェアの実施例又はソフトウェアとハードウェアの組合せの実施例を採用することができる。さらに、本発明は、コンピュータ使用可能プログラムコードが含まれている１つ以上のコンピュータ使用可能記憶媒体（磁気記憶デバイス、光データ記憶デバイスを含むが、これらに限られない）で実施されるコンピュータプログラム製品形態を採用することができる。
【００６７】
本発明は、本発明の実施例における方法、デバイス（システム）及びコンピュータプログラム製品のフローチャート及び／又はブロック図により記述されるものである。コンピュータプログラム命令により、フローチャート及び／又はブロック図のうちの各プロセス及び／又はブロック、フローチャート及び／又はブロック図におけるプロセス及び／又はブロックの組合せを実現することができると理解すべきである。これらのコンピュータプログラム命令を汎用コンピュータ、専用コンピュータ、組み込みプロセッサ又は他のプログラマブルデータ処理デバイスのプロセッサに提供して１つの機器を生成して、コンピュータ又は他のプログラマブルデータ処理デバイスのプロセッサで命令を実行して、フローチャートにおける１つ以上のプロセス及び／又はブロック図における１つ以上のブロックで指定される機能を実現するための装置を生成することができる。
【００６８】
これらのコンピュータプログラム命令は、コンピュータ又は他のプログラマブルデータ処理デバイスが特定のモードで動作することをガイドすることができるコンピュータ読取可能メモリに記憶されることができ、それによって、当該コンピュータ読取可能メモリに記憶された命令によって、命令装置を含む製品を生成すし、当該命令装置は、フローチャートにおける１つ以上のプロセス及び／又はブロック図における１つ以上のブロックで指定された機能を実現する。
【００６９】
これらのコンピュータプログラム命令は、コンピュータ又は他のプログラマブルデータ処理デバイスにロードされることができ、それによって、コンピュータ又は他のプログラマブルデータ処理デバイスで一連の操作ステップを実行されて、コンピュータ又は他のプログラマブルデータ処理デバイスに実行された命令によって、フローチャートにおける１つ以上のプロセス及び／又はブロック図における１つ以上のブロックで指定された機能を実現するためのステップを提供する。
【００７０】
以上は、本発明の最適的な実施例に過ぎなく、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【産業上の利用可能性】
【００７１】
本発明の実施例において、端末が最初に起動される又は端末の登録情報が変更される場合、端末は、端末の現在登録情報が含まれている自主登録セッション操作メッセージをサーバーへ送信し、サーバーは、前記自主登録セッション操作メッセージを受信して解析し、端末の現在登録情報を取得し、予め記憶された端末の登録情報に応じて、前記現在登録情報が新規登録情報であるかどうかを判断し、前記現在登録情報が新規登録情報である場合、前記新規登録情報を記憶し、自主登録セッション操作成功の応答メッセージを端末へ送信する。このように、サーバーは、端末の現在登録情報をリアルタイムに取得し、端末に対する有効管理を実現することができる。
【図１】
0006433578.tif 000002
【図２】
0006433578.tif 000003
【図３】
0006433578.tif 000004
【図４】
0006433578.tif 000005
【図５】
0006433578.tif 000006
【図６】
0006433578.tif 000007
【図７】
0006433578.tif 000008
【図８】
0006433578.tif 000009